(57)【要約】【課題】予約した路線バスを容易に見分け得る乗車支援装置を提供する。【解決手段】乗車支援装置の一実施形態として、乗車支援システム１０では、利用者が降車を予約したバス停（以下「降車バス停」という）の情報をバス停２００に設けられる停留所装置５０により受け付けると、降車バス停の情報を停留所装置５０からバス１００に搭載された乗車支援装置２０に送信する。この降車バス停の情報を受信した乗車支援装置２０は、利用者が待つバス停にバス１００が近づいた時点で、車両前方の行先表示装置３２や車両側方の行先表示装置３３に降車バス停の名称を表示する。これにより、乗車支援システム１０は、バス停２００でバス１００の乗車待ちをする利用者に対して乗車予定のバス１００が到着することを告知する。【選択図】図１
2015056081.tif 000002
【特許請求の範囲】
【請求項１】
路線バスに搭載される乗車支援装置であって、
前記路線バスの運行路線に含まれる停留所の情報であり、前記路線バスの乗車待ちをする利用者が降車を予約した降車停留所の情報を取得する降車情報取得部と、
前記路線バスが前記降車停留所に停車する旨を視覚を介して告知可能な視覚情報を前記降車停留所の情報に基づいて生成する視覚情報生成部と、
前記利用者が前記路線バスを待つ停留所に前記路線バスが接近した場合、前記視覚情報に基づいて前記路線バスが前記降車停留所に停車する旨を前記路線バスの車外前方または車外側方に向けて表示する停留所情報表示部と、
を備えることを特徴とする乗車支援装置。
【請求項２】
前記停留所情報表示部は、前記路線バスが前記降車停留所に停車する旨を告知する文字、図形または記号を、前記路線バスが他の停留所に停車する旨を告知する文字、図形または記号よりも視覚的に強調表示することを特徴とする請求項１に記載の乗車支援装置。
【請求項３】
路線バスに搭載される乗車支援装置であって、
前記路線バスの運行路線に含まれる停留所の情報であり、前記路線バスの乗車待ちをする利用者が降車を予約した降車停留所の情報を取得する降車情報取得部と、
前記路線バスが前記降車停留所に停車する旨を聴覚を介して告知可能な聴覚情報を前記降車停留所の情報に基づいて生成する聴覚情報生成部と、
前記利用者が前記路線バスを待つ停留所に前記路線バスが接近した場合、前記聴覚情報
に基づいて前記路線バスが前記降車停留所に停車する旨を前記路線バスの車外に向けて音響出力する停留所情報音響出力部と、
を備えることを特徴とする乗車支援装置。
【請求項４】
前記降車停留所の情報は、前記利用者が前記路線バスを待つ停留所に設けられる降車予約装置を介して入力されることを特徴とする請求項１〜３のいずれか一項に記載の乗車支援装置。
【請求項５】
前記降車停留所の情報は、前記利用者が前記路線バスを待つ停留所またはこの停留所付近で前記利用者が所持する携帯端末装置を介して入力されることを特徴とする請求項１〜３のいずれか一項に記載の乗車支援装置。
【発明の詳細な説明】
【技術分野】
【０００１】
本発明は、停留所で路線バスの乗車待ちをする利用者に対して乗車予定の路線バスが到着することを告知する乗車支援装置に関するものである。
【背景技術】
【０００２】
停留所で路線バスの乗車待ちをする利用者に対して乗車予定の路線バスが到着することを告知する技術として、例えば、下記特許文献１に開示されるバス運行管理システムがある。このシステムでは、運行管理装置と、停留所に設けられる停留所装置と、路線バスに搭載される車載装置を備える。路線バスの乗車待ちをする利用者は、乗車予定のバス路線を停留所の停留所装置により選択し予約する。すると、路線バスがその停留所に到着する際に車載装置が当該停留所装置に到着通知を送信する。これを受信した当該停留所装置は、路線バスの到着をディスプレィに表示したり音声により案内したりする。これにより、利用者は、自分が予約した路線バスの到着を知ることが可能になる。
【先行技術文献】
【特許文献】
【０００３】
【特許文献１】特開２０１１−２２７５５０号公報
【発明の概要】
【発明が解決しようとする課題】
【０００４】
ところで、路線バスの運行路線が複数存在する場合、異なる路線を運行するバスが同じ停留所を経由することがある。例えば、第１系統の路線バスが始発停留所Ａから途中停留所Ｂ，Ｃ，Ｄ，Ｅ，Ｆを経由して終着停留所Ｇに到着するのに対して、第２系統の路線バスが始発停留所Ｉから途中停留所Ｊ，Ｋ，Ｅ，Ｌ，Ｍを経由して終着停留所Ｎに到着する場合、途中停留所Ｅではこれら両系統のバスが停車する。
【０００５】
このように同じ停留所に異なる路線のバスが停車する場合、それぞれの系統の路線バスがほぼ同時に当該停留所に到着するケースもあり得る。そのようなケースでは、複数台の路線バスが当該停留所に列をなして停車する。そのため、たとえ上記特許文献１のバス運行管理システムの停留所装置による案内があったとしても、停留所には複数台のバスが停車していることから、利用者は自分が予約した路線バスを容易に見分けることは難しい。
【０００６】
このようなケースでは、例えば、路線バスの前方や側方に設けられる行先表示装置に表示される系統番号の違いで予約したバスを見分け得る。しかし、一般に利用者は、降車を予定する停留所は覚えていても、その停留所を経由する路線の系統番号までは正確に記憶しているとは限らない。そのため、行先表示装置に表示される系統番号では、予約した路線バスを誰もが容易に見分けられるわけではない。
【０００７】
また、降車を予定する停留所が終着停留所やその他の主要な停留所であり、その表示が路線バスの行先表示装置に表示される場合には、利用者はその表示を見て自分が予約した路線バスを見分け得る。しかし、降車予約をした停留所が終着停留所等の主要な停留所でない場合には、その停留所は行先表示装置に表示されない。そのため、利用者は、降車予約の停留所に停まるか否かを、停留所で待つ他の利用者や路線バスの運転士に尋ねることで自分が予約した路線バスを知ることになる。
【０００８】
本発明は、上述した課題を解決するためになされたもので、予約した路線バスを容易に見分け得る乗車支援装置を提供することを目的とする。
【課題を解決するための手段】
【０００９】
上記目的を達成するため、特許請求の範囲の請求項１に記載された乗車支援装置は、路線バスに搭載される乗車支援装置であって、前記路線バスの運行路線に含まれる停留所の情報であり、前記路線バスの乗車待ちをする利用者が降車を予約した降車停留所の情報を取得する降車情報取得部と、前記路線バスが前記降車停留所に停車する旨を視覚を介して告知可能な視覚情報を前記降車停留所の情報に基づいて生成する視覚情報生成部と、前記利用者が前記路線バスを待つ停留所に前記路線バスが接近した場合、前記視覚情報に基づいて前記路線バスが前記降車停留所に停車する旨を前記路線バスの車外前方または車外側方に向けて表示する停留所情報表示部と、を備えることを特徴とする。
【００１０】
請求項１に記載された乗車支援装置の発明では、降車情報取得部により、路線バスの乗車待ちをする利用者が降車を予約した降車停留所の情報を取得し、視覚情報生成部により、路線バスが降車停留所に停車する旨を視覚を介して告知可能な視覚情報を降車停留所の情報に基づいて生成し、停留所情報表示部により、利用者が路線バスを待つ停留所に路線バスが接近した場合、視覚情報に基づいて路線バスが降車停留所に停車する旨を路線バスの車外前方または車外側方に向けて表示する。これにより、利用者は、接近する路線バスの停留所情報表示部に表示される「降車停留所に停車する旨」の表示を見ることにより、当該路線バスが降車を予約した路線バスであるか否かを判断することが可能になる。なお、「路線バスが接近する」とは、停留所において路線バスを待つ利用者が、当該停留所から路線バスの停留所情報表示部に表示される「路線バスが降車停留所に停車する旨」を視覚的に識別し得る距離に路線バスが近づくことである。また「車外側方」とは、路線バスの車外で停留所側の車外側方のことである。
【００１１】
また、特許請求の範囲の請求項２に記載された乗車支援装置は、請求項１に記載された乗車支援装置において、前記停留所情報表示部は、前記路線バスが前記降車停留所に停車する旨を告知する文字、図形または記号を、前記路線バスが他の停留所に停車する旨を告知する文字、図形または記号よりも視覚的に強調表示することを特徴とする。
【００１２】
請求項２に記載された乗車支援装置の発明では、停留所情報表示部は、路線バスが降車停留所に停車する旨を告知する文字、図形または記号を、路線バスが他の停留所に停車する旨を告知する文字、図形または記号よりも視覚的に強調表示する。これにより、「降車停留所に停車する旨」が視覚的に認識し易い形態で停留所情報表示部に表示される。
【００１３】
さらに、特許請求の範囲の請求項３に記載された乗車支援装置は、路線バスに搭載される乗車支援装置であって、前記路線バスの運行路線に含まれる停留所の情報であり、前記路線バスの乗車待ちをする利用者が降車を予約した降車停留所の情報を取得する降車情報取得部と、前記路線バスが前記降車停留所に停車する旨を聴覚を介して告知可能な聴覚情報を前記降車停留所の情報に基づいて生成する聴覚情報生成部と、前記利用者が前記路線バスを待つ停留所に前記路線バスが接近した場合、前記聴覚情報に基づいて前記路線バスが前記降車停留所に停車する旨を前記路線バスの車外に向けて音響出力する停留所情報音響出力部と、を備えることを特徴とする。
【００１４】
請求項３に記載された乗車支援装置の発明では、降車情報取得部により、路線バスの乗車待ちをする利用者が降車を予約した降車停留所の情報を取得し、聴覚情報生成部により、路線バスが降車停留所に停車する旨を聴覚を介して告知可能な聴覚情報を降車停留所の情報に基づいて生成し、停留所情報音響出力部により、利用者が路線バスを待つ停留所に路線バスが接近した場合、聴覚情報に基づいて路線バスが降車停留所に停車する旨を路線バスの車外に向けて音響出力する。これにより、利用者は、接近する路線バスの停留所情報音響出力部に出力される「降車停留所に停車する旨」の音（例えば合成音声等によるアナウンス）を聴くことにより、当該路線バスが降車を予約した路線バスであるか否かを判断することが可能になる。なお、「路線バスが接近する」とは、停留所において路線バスを待つ利用者が、当該停留所から路線バスの停留所情報音響出力部に音響出力される「路線バスが降車停留所に停車する旨」を聴覚的に識別し得る距離に路線バスが近づくことである。また「車外側方」とは、路線バスの車外で停留所側の車外側方のことである。
【００１５】
また、特許請求の範囲の請求項４に記載された乗車支援装置は、請求項１〜３のいずれか一項に記載の乗車支援装置において、前記降車停留所の情報は、前記利用者が前記路線バスを待つ停留所に設けられる降車予約装置を介して入力されることを特徴とする。
【００１６】
請求項４に記載された乗車支援装置の発明では、降車停留所の情報は、利用者が前記路線バスを待つ停留所に設けられる降車予約装置を介して入力される。
【００１７】
また、特許請求の範囲の請求項５に記載された乗車支援装置は、請求項１〜３のいずれか一項に記載の乗車支援装置において、前記降車停留所の情報は、前記利用者が前記路線バスを待つ停留所またはこの停留所付近で前記利用者が所持する携帯端末装置を介して入力されることを特徴とする。
【００１８】
請求項５に記載された乗車支援装置の発明では、降車停留所の情報は、利用者が前記路線バスを待つ停留所またはこの停留所付近で利用者が所持する携帯端末装置を介して入力される。
【発明の効果】
【００１９】
本発明では、利用者は、接近する路線バスの停留所情報表示部に表示される「降車停留所に停車する旨」の表示を見ることにより、または「降車停留所に停車する旨」の音（例えば合成音声等によるアナウンス）を聴くことにより、当該路線バスが降車を予約した路線バスであるか否かを判断することが可能になる。したがって、予約した路線バスを容易に見分けることができる。
【図面の簡単な説明】
【００２０】
【図１】本発明の一実施形態に係る乗車支援装置を適用した乗車支援システムの構成例を示すシステム構成図である。
【図２】図２(A)は、本実施形態の乗車支援装置を搭載した路線バスの車内設備機器の構成例を示す説明図、図２(B)は、乗車支援装置の構成例を示すブロック図、である。
【図３】図３(A)は、乗車支援システムを構成するバス停の例を示す説明図、図３(B)は、停留所装置の構成例を示すブロック図、である。
【図４】停留所装置による予約受付処理の流れを示すフローチャートである。
【図５】予約受付処理において停留所装置の入出力装置に表示される画面例の説明図であり、図５(A)はメニュー表示画面、図５(B)は主要バス停表示画面、図５(C)は予約確認表示画面、である。
【図６】予約受付処理において停留所装置の入出力装置に表示される画面例の説明図であり、図６(A)はソフトキー表示画面、図６(B)はバス停候補表示画面、図６(C)は予約完了表示画面、である。
【図７】乗車支援装置による優先案内処理の流れを示すフローチャートである。
【図８】優先案内処理において行先表示装置に表示される表示例の説明図であり、図８(A)は通常時における行先表示の例、図８(B)は優先時における行先表示の例、である。
【発明を実施するための形態】
【００２１】
以下、本発明の乗車支援装置を乗車支援システムに適用した一実施形態を各図に基づいて説明する。まず、図１を参照して乗車支援システム１０の構成を説明する。図１に示すように、乗車支援システム１０は、路線バス（以下「バス」という）１００に搭載される乗車支援装置２０、このバス１００が停車する停留所（以下「バス停」という）２００に設けられる停留所装置５０、および、管理センタ３００により構成されている。
【００２２】
本実施形態では、乗車支援システム１０は、利用者が降車を予定するバス停（以下「目的のバス停」という）の情報をバス停２００に設けられる停留所装置５０により受け付けると、その情報を停留所装置５０からバス１００に搭載された乗車支援装置２０に送信する。この降車を予約したバス停（以下「降車バス停」という）の情報を受信した乗車支援装置２０は、利用者が待つバス停に当該バス１００が近づいた時点で、車両前方の行先表示装置３２や車両側方の行先表示装置３３に降車バス停の名称を表示する。これにより、乗車支援システム１０は、バス停２００でバス１００の乗車待ちをする利用者に対して乗車予定のバス１００が到着することを告知する。なお、図１において、バス停２００の入出力装置５５、バス１００の行先表示装置３２，３３の部分は、薄墨色に着色されている。また、符号Ｌは、歩道空間と車道空間を区切る境界線を示す。
【００２３】
なお、管理センタ３００は、典型的には、乗車支援装置２０と停留所装置５０の間でやり取りされる各種データを管理する機能を有するが、本実施形態では、管理センタ３００は、これら装置２０，５０間の無線通信を中継する中継局の機能を主に担う。そのため、このような中継局を必要とすることなく、乗車支援装置２０と停留所装置５０が直接的に無線通信を行うことが可能である場合には、乗車支援システム１０に管理センタ３００を含まなくてもよい。
【００２４】
次に、図２に基づいて、乗車支援装置２０を搭載するバス１００の車内設備機器の構成例（図２(A)参照）および乗車支援装置２０の構成例（図２(B)参照）をそれぞれ説明する。図２(A)に示すように、バス１００は、乗客が降車の際に運賃を支払う「後払い方式」の乗合車両である。車内においては、降車口１００ｂの付近には運賃箱１０１や運賃表示装置１２０が設けられ、また乗車口１００ａの付近にはＩＣカードリードライタ１０３と整理券発行機１０５が設けられている。運転席の上方には放送装置３５が設けられている。これには、図示されていない増幅装置や車内スピーカ、さらには車外スピーカ３６が接続されている。また、客席の近くには、複数の降車ボタン１０７が設けられている。
【００２５】
これに対し、バス１００の車外には行先表示装置３２，３３，３４が設けられている。具体的には、バス１００の前方上部に行先表示装置３２が設けられ、乗車口１００ａと降車口１００ｂの間の側方（進行方向左側）に行先表示装置３３が設けられている。また、バス１００の後方上部に行先表示装置３４が設けられている。なお、行先表示装置３３の下方には、前述の放送装置３５に接続される車外スピーカ３６が設けられている。
【００２６】
本実施形態では、降車口１００ｂの上方に設けられる運賃表示装置１２０を乗車支援装置２０として使用する。ここで、乗車支援装置２０の構成を図２(B)を参照して説明する。図２(B)に示すように、乗車支援装置２０は、ＭＰＵ２１、メモリ２２、システムバス２３、入出力インタフェース２５、ディスプレィ２７、ＧＰＳユニット２８、通信インタフェース２９等により構成されている。
【００２７】
ＭＰＵ２１は、乗車支援装置２０を制御する演算処理装置であり、システムバス２３等を介して、メモリ２２、入出力インタフェース２５等と接続されている。
【００２８】
メモリ２２は、ＭＰＵ２１が使用する主記憶空間を構成する半導体記憶装置であり、例えば、プログラム領域を担うＲＯＭとワーク領域やデータ領域に割り当てられるＤＲＡＭとにより構成されている。ＲＯＭには、システムプログラム（いわゆるＯＳ）や乗車支援装置２０を制御するプログラム、例えば、後述する優先案内処理を実行可能な優先案内プログラム、さらには運賃表示装置１２０として機能させる運賃表示プログラム等が格納されている。ＲＯＭには、ＥＥＰＲＯＭやフラッシュメモリが含まれる。
【００２９】
本実施例では、乗車支援装置２０は、データ領域として、システムプログラム等を記憶するＲＯＭのほかに、例えば、図略のデータメモリ（ＥＥＰＲＯＭ等の半導体記憶装置）を備えている。このデータメモリには、運賃表示装置１２０として機能するために必要な運行情報データや運賃情報データが格納されている。なお、後述する優先案内処理で使用するバス停の名称は、この運行情報データに含まれている。
【００３０】
入出力インタフェース２５は、ディスプレィ２７、ＧＰＳユニット２８や通信インタフェース２９等とＭＰＵ２１またはメモリ２２との間で、シリアルやパラレル通信によりデータのやり取りを仲介するインタフェース装置である。
【００３１】
ディスプレィ２７は、左右の２画面表示を可能にする液晶ディスプレィ装置である。このディスプレィ２７は、前述した入出力インタフェース２５を介してＭＰＵ２１に接続されている。例えば、後述するように、停留所装置５０から送信される降車バス停の情報に基づいて、降車ボタン１０７による降車信号に代えて、次のバス停で停車する旨の告知表示「つぎ止ります。」を行う。本実施形態では、このほか、運賃表示装置１２０としての運賃表示プログラムによる運賃表示処理によって、例えば、整理券番号１〜２４に対する各金額情報を左右の両画面２７ａ，２７ｂに表示したり、またこのような運賃表を左画面２７ａに表示し、右画面２７ｂに次停留所の案内情報を表示したりする。なお、これらの表示処理については特開２００７−６５６２２号公報に開示されているので、詳細はこれを参照されたい。
【００３２】
ＧＰＳユニット２８は、図略のアンテナを介してＧＰＳ衛星からＧＰＳ信号を受信して測位データを出力するＧＰＳ受信機であり、ＧＰＳモジュールとも称されるものである。本実施形態では、緯度および経度からなる絶対位置情報によってバス１００の現在位置を取得する。
【００３３】
通信インタフェース２９は、外部装置に対して情報通信可能にするシリアル通信インタフェースであり、例えば、RS-232CやRS-422等の通信規格に準拠している。本実施形態では、例えば、通信インタフェース２９を介して、無線通信装置３１、行先表示装置３２，３３，３４、放送装置３５等の周辺機器や、前述した運賃箱１０１、ＩＣカードリードライタ１０３、整理券発行機１０５、降車ボタン１０７等の車内設備機器に接続されている。なお、図２(B)においては、運賃箱１０１等の車内設備機器との接続は図示されていない。
【００３４】
無線通信装置３１は、乗車支援装置２０と停留所装置５０とのデータのやり取りを無線通信回線により行うものであり、例えば、データ通信可能な業務無線装置や携帯電話装置等が使用される。本実施形態では、データ通信は、管理センタ３００を中継した無線パケット通信網を介して行われる。無線通信装置３１は、前述の通信インタフェース２９に接続されている。
【００３５】
行先表示装置３２，３３，３４は、例えば、赤、橙、緑の３色で発光可能な多色発光ダイオードをマトリックス状に配置して構成されるＬＥＤ表示装置で、外部から入力される文字コードや制御コード等に基づいてドット表現可能な文字や図形を表示可能に構成されている。なお、文字コードはテキストデータに含まれる概念である。これらは、例えば、バス１００の行き先名称や、主な経由停留所名称を表示する。
【００３６】
本実施形態では、行先表示装置３２，３３，３４は、前述したように、バス１００の外部の前方や後方、あるいは乗車口１００ａと降車口１００ｂとの間の側方に設けられていることから、後述するように、乗車支援装置２０による優先案内処理によって降車バス停の名称を行先表示装置３２および行先表示装置３３に出力することで、当該バス１００を待つ利用者に降車バス停の名称を視覚的に認識可能にして告知することができる。なお、行先表示装置３４は、バス１００の後方に向けて表示することから、バス停２００で待つ利用者がその表示に気がつくことは難しい。そのため、本実施形態では、行先表示装置３４については、通常時における行先表示を行い、優先案内処理による降車バス停の名称の表示は行わない。
【００３７】
放送装置３５は、前述したように、運転席の上方に設置されて合成音声により車内アナウンス等の音声信号を発して増幅装置に出力するものである。放送装置３５は、予め記憶されているメッセージの他に、例えば、外部から入力されるテキストデータ（文字コード）に基づいて合成音声を生成し得る。また、この合成した音声信号を増幅装置を介して外部に出力可能に構成されている。本実施形態では、放送装置３５は、車外スピーカ３６にも音声アナウンスを出力可能に構成されている。このため、後述する乗車支援装置２０による優先案内処理によって、降車バス停の名称を構成する複数の文字コードを乗車支援装置２０から放送装置３５に出力することで、当該バス１００を待つ利用者に降車バス停の名称を聴覚的に認識可能にして告知することができる。
【００３８】
続いて、図１および図３に基づいて、停留所装置５０が設けられるバス停２００の構成例および停留所装置５０の構成例をそれぞれ説明する。図１および図３(A)に示すように、バス停２００は、バス１００を待つ利用者が降車を予定するバス停の予約を受け付けたり、当該バス停２００を経由する複数の路線に対応して各系統ごとにバス１００の接近情報を表示したりするものである。
【００３９】
バス停２００は、主に、正面が側面よりも幅広に構成される、例えば、長細の薄箱形状に形成された本体２０１と、この本体２０１の上部に取り付けられる円盤形状の名称板２０３とから構成されており、支柱２０５を介して地面等の設置面Ｇに縦長状態で自立可能に構成されている。名称板２０３は、本体２０１の側面方向に表示面が向くように設けられており、その表示面には当該バス停２００の停留所名称がペイントされている。
【００４０】
本体２０１は、設置状態において、その正面の最上段に当該バス停２００の停留所名称が表示されている。図３(A)に示す例の名称欄には、「○○○停留所前」と表示されている。この名称欄の下段には、バス１００の接近情報を系統ごとに明示する案内表示パネル５７が設けられている。この案内表示パネル５７の下段、つまり本体２０１の上下方向ほぼ中央には、入出力装置５５が設けられている。入出力装置５５は、後述する予約受付処理によるメニュー画面等を表示したり、あるいは利用者が選択する降車バス停の情報を入力可能にしたりする。また、入出力装置５５は、案内表示パネル５７では表示されない、例えば、当該バス停２００を経由する各系統の時刻表や路線図等のバス運行に関わる情報を表示して利用者に提供したりもする。
【００４１】
入出力装置５５および案内表示パネル５７は、いずれも本体２０１のやや下方に内蔵された停留所装置５０により表示制御されている。なお、これらを駆動する直流電源は、例えば、交流電源ラインに接続される図略の直流電源装置から供給されたり、あるいは図略のソーラーパワーユニット（太陽電池パネル、充電制御装置および蓄電池により構成される）から供給されている。
【００４２】
ここで、停留所装置５０の構成を図３(B)を参照して説明する。図３(B)に示すように、停留所装置５０は、ＭＰＵ５１、メモリ５２、システムバス５３、入出力インタフェース５４、無線通信ユニット５９等により構成されている。
【００４３】
ＭＰＵ５１は、停留所装置５０を制御する演算処理装置であり、システムバス５３等を介して、メモリ５２、入出力インタフェース５４等と接続されている。
【００４４】
メモリ５２は、ＭＰＵ５１が使用する主記憶空間を構成する半導体記憶装置であり、例えば、プログラム領域を担うＲＯＭとワーク領域やデータ領域に割り当てられるＤＲＡＭとにより構成されている。ＲＯＭには、システムプログラム（いわゆるＯＳ）や停留所装置５０を制御するプログラム、例えば、後述する予約受付処理を実行可能な予約受付プログラムや、バス運行に関わる情報等を入出力装置５５に表示するプログラム、さらには案内表示パネル５７にバス１００の接近情報を表示するプログラム等が格納されている。また、ＲＯＭには、当該バス停２００を経由する各路線ごとに対応して、それぞれの路線を構成するすべてのバス停の名称データが予め格納（記憶）されており、これらの名称データには、主要なバス停を選択し得るコードや名称の先頭文字等で平仮名検索可能なコード等が付加されている。なお、ＲＯＭには、ＥＥＰＲＯＭやフラッシュメモリが含まれる。
【００４５】
入出力インタフェース５４は、入出力装置５５、案内表示パネル５７や無線通信ユニット５９等とＭＰＵ５１またはメモリ５２との間で、シリアルやパラレル通信によりデータのやり取りを仲介するインタフェース装置である。
【００４６】
入出力装置５５は、例えば、タッチパネル５５ａと液晶ディスプレィ５５ｂにより構成されるマンマシンインタフェースであり、ＭＰＵ５１により制御されている。例えば、液晶ディスプレィ５５ｂの表面を視覚的に透明なタッチパネル５５ａが覆うことにより、利用者が入出力装置５５の表示画面を指先等で触れることによって画面表示された選択ボタンやソフトウェアキーボードを操作することが可能に構成されている。本実施形態では、後述するように、利用者が降車を予定するバス停を予約する際に使用される。
【００４７】
案内表示パネル５７は、バス１００の現在位置に伴って時々刻々と変化するバス１００の接近情報を系統ごとに明示する表示装置である。例えば、複数の主要バス停表示の間に設けられる個々のＬＥＤ表示器の点灯や消灯によってバス１００の接近情報を表現可能に構成されている。本実施形態では複数の路線が当該バス停２００を経由する。そのため、案内表示パネル５７は、これらの路線に対応して各系統ごとにバス１００の接近情報を表示可能に構成されている。
【００４８】
無線通信ユニット５９は、停留所装置５０と乗車支援装置２０の間のデータ通信を無線通信回線により行うものであり、例えば、データ通信可能な業務無線装置や携帯電話装置等が使用される。データ通信は、例えば、管理センタ３００を中継した無線パケット通信網を介して行われる。
【００４９】
このように構成されるバス停２００の停留所装置５０により利用者が降車を予定するバス停の予約を受け付けてバス１００の乗車支援装置２０に送信すると、これを受信した乗車支援装置２０は、それを搭載するバス１００がバス停２００に接近したタイミングで、降車バス停の情報に基づいてバス１００の前方や側方に降車バス停の名称を表示する。
【００５０】
次に、バス停２００の停留所装置５０による降車予定のバス停の予約を受け付ける処理（予約受付処理）を図４〜図６を参照して説明する。この処理は、停留所装置５０のメモリ５２に格納されている予約受付プログラムをＭＰＵ５１が実行することにより実現される。処理を開始するタイミングとしては、典型的には、例えば、停留所装置５０の電源投入後、所定の初期化処理が完了した後である。
【００５１】
図４に示すように、予約受付処理では、まずステップＳ１０１によりメニュー表示処理が行われる。この処理では、降車予定のバス停の予約を受け付ける方式として、例えば、主なバス停の一覧表示から目的のバス停の名称を選択して予約する方式（以下「一覧選択方式」という）と、目的のバス停の名称を５０音のソフトウェアキーボードから入力して予約する方式（以下「５０音入力方式」という）と、を選択し得るメニュー画面を入出力装置５５の液晶ディスプレィ５５ｂに表示する（図５(A)参照）。
【００５２】
これにより、図５(A)に示すように、利用者は、液晶ディスプレィ５５ｂに表示された「主なバス停」（一覧選択方式）と「５０音から入力する」（５０音入力方式）とのいずれかを選択することが可能になる。この選択は、利用者による入出力装置５５のタッチパネル５５ａの操作により行われる。なお、この図５(A)に示すメニュー画面では、乗車支援システム１０のことを「降車バス停表示システム」と、またバス１００に設けられる行先表示装置３２，３３のことを「前面及び側面の表示器」と、それぞれ表示していることに注意されたい。
【００５３】
次のステップＳ１０３では、利用者による選択入力があるか否かを判断する処理が行われる。そして、選択入力がある場合には（Ｓ１０３；Ｙｅｓ）、続くステップＳ１０５によりその予約方式が「一覧選択方式」であるか「５０音入力方式」であるかを判断する処理が行われる。これに対して、選択入力がない場合には（Ｓ１０３；Ｎｏ）、前のステップＳ１０１のメニュー表示処理に戻る。
【００５４】
利用者が予約方式として「一覧選択方式」を選んでいる場合には（Ｓ１０５；「一覧選択方式」）、ステップＳ１１１により主要バス停表示処理が行われる。これにより、例えば、図５(B)に示すような主なバス停の名称の一覧が液晶ディスプレィ５５ｂに表示されて、利用者による目的のバス停の名称の選択が可能になる。このような主要バス停の一覧は、メモリ５２に格納されているバス停の名称データとこれらに付加されている主要なバス停を選択し得るコードに基づいて表示される。また、この画面の例では、一つ前の画面に戻るための「戻る」ボタンも表示されている。このボタンを利用者が選択した場合には、図５(A)に示すメニュー画面に戻ることを許容している。なお、この図に示す主なバス停の名称の一覧では、「市役所前」を除いて、他のバス停の名称を「○○○○前」と便宜的に表示していることに注意されたい。
【００５５】
続くステップＳ１１３では、ステップＳ１１１において利用者により目的のバス停の名称が選択されているか否かを判断する処理が行われる。そして、バス停の名称が選択されている場合には（Ｓ１１３；「選択」）、続くステップＳ１３１によりその選択されたバス停の名称、つまり目的のバス停の名称が液晶ディスプレィ５５ｂに表示される（図５(C)参照）。一方、「戻る」ボタンが選択されている場合には（Ｓ１１３；「戻る」）、前述したメニュー画面（図５(A)参照）の表示に戻るため、ステップＳ１０１に処理を移行する（ラベル「１」からラベル「１’」へ）。
【００５６】
これに対して、ステップＳ１０５により、利用者が予約方式として「５０音入力方式」を選んでいる場合には（Ｓ１０５；「５０音入力方式」）、ステップＳ１２１によりソフトキー表示処理が行われる。例えば、図６(A)に示すように、５０音順に配列される「平仮名キー」ボタンにより構成されたソフトウェアキーボード（ソフトキー）が液晶ディスプレィ５５ｂに表示される。これにより、利用者は目的のバス停の名称を平仮名入力することが可能になる。この図に示される例では、入力ボックスに「しやく」の３文字が入力されている。なお、この画面に表示されている「訂正」ボタンは入力した文字の誤りを正す場合に、また「決定」ボタンはバス停の名称入力が完了した場合に、さらに「戻る」ボタンは一つ前の画面、即ち図５(A)に示すメニュー画面に戻る場合に、それぞれ選択される。
【００５７】
本実施形態では、バス停の名称を構成する平仮名の文字列の一部が入力されている場合でも、その一部の文字列から名称を検索することが可能であればそのような入力も許容する。即ち、メモリ５２に格納されているバス停の名称データとこれらに付加されている平仮名検索が可能なコードに基づいて、入力された平仮名の文字列の一部を先頭文字等に含む名称が存在する場合にはその入力を許容し、そのような名称が存在しない場合にはその入力を拒否する。
【００５８】
続くステップＳ１２３では、ステップＳ１２１において利用者による文字列の５０音入力が完了しているか否かを判断する処理が行われる。５０音入力が完了している場合には（Ｓ１２３；「決定」）、続くステップＳ１２５のバス停候補表示処理に移り、「戻る」ボタンが選択されている場合には（Ｓ１２３；「戻る」）、図５(A)に示すメニュー画面の表示に戻るため、ステップＳ１０１に移行する（ラベル「１」からラベル「１’」へ）。
【００５９】
そして、ステップＳ１２５によるバス停候補表示処理では、ステップＳ１２１による入力された文字列に基づいて該当するバス停の名称を検索して液晶ディスプレィ５５ｂに表示する。これにより、バス停候補の一覧が画面表示されるため、利用者による目的のバス停の名称の選択が可能になる。この一覧は、メモリ５２に格納されているバス停の名称データとこれらに付加されている平仮名検索が可能なコードに基づいて検索されて表示される。バス停の名称が選択されると、続くステップＳ１３１によりその選択されたバス停の名称、つまり降車バス停の名称が液晶ディスプレィ５５ｂに表示される（図５(C)参照）。
【００６０】
先の例では、「しやく」の３文字を入力した後、「決定」ボタンを選択すると、例えば、図６(B)に示すようなバス停候補の一覧画面が表示される。この画面の例は、「しやく」の３文字を含むバス停の名称として、「市役所前」、「市役所北口」および「市役所通り３丁目」の３件が検索された場合の表示である。そして、これらの中から「市役所前」が選択されると、図５(C)に示すように、降車バス停として「市役所前」を予約することを確認する画面が表示される。
【００６１】
ステップＳ１３１では、降車バス停の確認表示処理が行われる。即ち、このステップでは、ステップＳ１１１やステップＳ１２５により表示されたバス停の名称の中から、利用者が選択したバス停の名称を降車バス停として決定して良いかを利用者に確認する。例えば、図５(C)に示す画面を液晶ディスプレィ５５ｂに表示し、決定して良い場合には「決定」ボタンを選択し、そうでない場合には「戻る」ボタンを選択するように利用者に促す。
【００６２】
そして、続くステップＳ１３３により、ステップＳ１３１によって選択されたボタンを判定し、選択されたボタンが「決定」である場合には（Ｓ１３３；「決定」）、続くステップＳ１３５に処理を移行する。これに対し、選択されたボタンが「戻る」であり、予約方式が「一覧選択方式」である場合には（Ｓ１３３；「一覧選択方式」）、図５(B)に示す主要バス停の一覧表示に戻るため、ステップＳ１１１に移行する（ラベル「２」からラベル「２’」へ）。一方、選択されたボタンが「戻る」であり、予約方式が「５０音入力方式」である場合には（Ｓ１３３；「５０音入力方式」）、図６(B)に示すバス停候補の一覧表示に戻るため、ステップＳ１２５に移行する（ラベル「３」からラベル「３’」へ）。
【００６３】
ステップＳ１３５では、バス停情報送信処理が行われる。具体的には、ステップＳ１３１の予約確認表示処理で表示された降車バス停の情報を無線通信ユニット５９を介して乗車支援装置２０に送信する。降車バス停の情報とは、例えば、そのバス停を一義的に特定可能な停留所番号や停留所名称のことであり、データ形式はバイナリ、テキストのいずれでもよい。これにより、バス１００に搭載される乗車支援装置２０に対して降車バス停の情報が送信される。
【００６４】
また、停留所装置５０において、この降車バス停を経由するバス１００であって、当該バス停２００に最も近いバス１００、つまり当該バス停２００に次に到着するバス１００を特定することが可能である場合には、そのバス１００を識別可能な情報（例えば、バス１００の識別コード）を降車バス停の情報に付加して送信する。これにより、最寄りのバス１００に対して降車バス停の情報が送信されるため、後発のバス１００が誤った表示をすることを防止することができる。
【００６５】
ステップＳ１３７では、降車バス停の予約完了表示処理が行われる。例えば、ステップＳ１３５による降車バス停の情報の送信に対して、バス１００の乗車支援装置２０が受信した旨の応答信号を返す場合にはその応答を確認して、例えば、図６(C)に示すような予約完了画面が表示される。この例では、降車バス停として「市役所前」を予約し、その表示例として「市役所前」に上線（オーバーライン）が付けられたものが、到着するバス１００の行先表示装置３２，３３に表示される旨が明示されている。なお、この画面に表示されている「Ｔｏｐへ」ボタンを選択した場合には、ステップＳ１０１のメニュー表示処理に戻る。また、この画面が一定時間（例えば数十秒間〜１分間）表示されると、一連の本予約受付処理を終了し、再度、ステップＳ１０１から処理を開始する。
【００６６】
続いて、バス１００に搭載される乗車支援装置２０による降車バス停を行先表示装置３２等に表示する処理（優先案内処理）を図７および図８を参照して説明する。この処理は、乗車支援装置２０のメモリ２２に格納されている優先案内プログラムをＭＰＵ２１が実行することにより実現される。処理を開始するタイミングとしては、典型的には、例えば、乗車支援装置２０の電源投入後、所定の初期化処理が完了した後である。
【００６７】
図７に示すように、優先案内処理では、まずステップＳ５０１によりバス停情報受信処理が行われる。具体的には、通信インタフェース２９に接続される無線通信装置３１から受信データを取得する。そして、続くステップＳ５０３によりその受信データにバス停情報、即ち停留所装置５０から送信されてくる降車バス停の情報が含まれているか否かを判断してバス停情報の受信を確認する。降車バス停の情報が含まれていない場合には（Ｓ５０３；Ｎｏ）、ステップＳ５０１に戻って、再度、無線通信装置３１から受信データを取得する。これに対して、降車バス停の情報が含まれている場合には（Ｓ５０３；Ｙｅｓ）、次のステップＳ５０５に処理を移行する。
【００６８】
ステップＳ５０５では、案内情報生成処理が行われる。例えば、この処理では、バス１００が降車バス停に停車する旨を視覚を介して告知可能な優先案内情報（視覚情報）として、降車バス停の情報に基づいて乗車支援装置２０から行先表示装置３２，３３に出力する文字コードや制御コード等を生成する。具体的には、例えば、通常の運行時（通常時）に行先表示装置３２，３３に表示させる態様をベースにして、その一部を降車バス停の名称に変更した表示が行われるように、行先表示装置３２，３３に出力する文字コードや制御コード等を修正する。降車バス停の名称を表示させる文字コードは、ステップＳ５０１により取得した受信データに含まれる降車バス停の情報に基づいて、図略のデータメモリに格納されている運行情報データから検索する。
【００６９】
例えば、停留所装置５０から送られてくる降車バス停の情報が、「３２系統」の路線が含むバス停「市役所前」に対応する停留所番号である場合、運行情報データ（路線データ）を検索してこの停留所番号に対応する文字コード「市役所前」を見つけ出す。そして、通常時の行先表示において行先表示装置３２，３３に出力する文字コードや制御コード等の一部を、検索により得られた「市役所前」の文字コードに修正する。図８(A)に示すように、通常時において行先表示の態様が、系統番号「３２」と、終着停留所の名称「緑山団地」と、経由地として主要なバス停の名称「市民体育館」および「大学病院前」と、により構成される場合には、経由地の名称のうち、最後に表示される「大学病院前」を降車バス停の名称「市役所前」に修正する。これにより、優先案内情報として、乗車支援装置２０から行先表示装置３２，３３に出力する文字コードや制御コード等が生成される。
【００７０】
また、このステップＳ５０５による処理では、バス１００が降車バス停に停車する旨を聴覚を介して告知可能な優先案内情報（聴覚情報）として、降車バス停の情報に基づいて乗車支援装置２０から放送装置３５に出力する文字コードを生成する。具体的には、例えば、通常の運行時（通常時）に放送装置３５に合成音声出力させる態様をベースにして、その最後に降車バス停の名称を付加した合成音声出力が行われるように、放送装置３５に出力する文字コードを修正する。降車バス停の名称を合成音声で発音させる文字コードは、ステップＳ５０１により取得した受信データに含まれる降車バス停の情報に基づいて、図略のデータメモリに格納されている運行情報データから検索する。
【００７１】
例えば、図８(A)に示す表示内容に対応して、「このバスは、３２番系統、市民体育館、大学病院前経由、緑山団地行きです。」というアナウンスを通常時において放送装置３５により行う場合には、優先案内時においては、例えば、「このバスは、３２番系統、市民体育館、大学病院前経由、緑山団地行きです。このバスは市役所前にも止ります。」というように、通常時の案内内容に、降車バス停の名称「市役所前」を付け加えそこにも停車するアナウンスを行う。このような修正を行うことにより、優先案内情報として、乗車支援装置２０から放送装置３５に出力する文字コードや制御コード等が生成される。
【００７２】
続くステップＳ５０７では、バス停情報取得処理が行われる。この処理では、当該バス１００が次に停車するバス停が利用者が待つバス停であるか否かを次のステップＳ５０９で判断する必要から、次に停車するバス停の情報を取得する。このバス停の情報は、乗車支援装置２０が運賃表示装置１２０として機能するために運賃箱１０１等から取得しているので、それを用いる。バス停の情報は、例えば停留所番号である。
【００７３】
ステップＳ５０９では、このバス停の情報に基づいて、次に停車するバス停が利用者が待つバス停であるか否かを判断する。そして、次に停車するバス停が利用者が待つバス停でない場合には（Ｓ５０９；Ｎｏ）、ステップＳ５０７に戻って、再度、バス停情報取得処理を行う。つまり、次に停車するバス停が利用者が待つバス停でない限り、降車バス停を優先的に案内する必要がないため、次に停車するバス停が利用者が待つバス停であるまで、ステップＳ５０７によるバス停情報取得処理を繰り返す。
【００７４】
これに対して、次に停車するバス停が利用者が待つバス停である場合には（Ｓ５０９；Ｙｅｓ）、続くステップＳ５１１により当該バス１００の現在位置情報を取得する。当該バス１００の現在位置情報は、例えば、ＧＰＳユニット２８から緯度・経度の情報を取得する。そして、ＧＰＳユニット２８から取得した当該バス１００の現在位置情報に基づいて、当該バス１００が利用者が待つバス停に接近しているか否かを判断する。「利用者が待つバス停に接近する」とは、バス停２００においてバス１００を待つ利用者が、バス１００の行先表示装置３２，３３による文字表示や図形表示を当該バス停２００から視覚的に識別し得る距離まで、またはバス１００の車外スピーカ３６から音響出力される合成音声によるアナウンスを当該バス停２００から聴覚的に識別し得る距離まで、バス１００が当該バス停２００に近づくことをいう。
【００７５】
当該バス１００が利用者が待つバス停に接近していると判断される場合には（Ｓ５１３；Ｙｅｓ）、ステップＳ５１５により降車バス停案内処理を行う。即ち、ステップＳ５０５により生成した優先案内情報である文字コードや制御コード等を、行先表示装置３２、３３や放送装置３５に出力する。これにより、例えば、図８(B)に示すように、行先表示装置３２，３３に降車バス停の名称が表示される。また前述したような放送装置３５による降車バス停の名称のアナウンス（合成音声）が車外スピーカ３６から音響出力される。一方、当該バス１００が利用者が待つバス停に接近していると判断されない場合には（Ｓ５１３；Ｎｏ）、ステップＳ５１１に戻り、再度、当該バス１００の現在位置情報を取得する。即ち、当該バス１００による行先表示装置３２，３３の案内表示が当該バス停２００から視覚的に識別し得る距離に、または当該バス１００による放送装置３５の音響出力が当該バス停２００から聴覚的に識別し得る距離に、当該バス１００が当該バス停２００に近づくまで、ステップＳ５１１による現在位置取得処理を繰り返す。
【００７６】
ステップＳ５１５による降車バス停案内処理は、バス１００が当該バス停２００に到着した後、当該バス停２００を発車するまで継続して行われる。即ち、ステップＳ５１７により当該バス停２００をバス１００が発車したか否かを判断し、発車していない場合には（Ｓ５１７；Ｎｏ）、ステップＳ５１５に戻って再度、降車バス停案内処理が行われる。バス１００の発車は、例えば、乗車口１００ａまたは降車口１００ｂの扉の開閉信号に基づいて停車中に開状態に移行した扉が閉状態に戻ることによる開閉信号の変化により検出される。また、停車中のバス１００の位置は、発車後、移動するため、例えば、ＧＰＳユニット２８から出力される絶対位置情報の変化によっても検出可能である。さらに、車速センサによる速度の変化によっても検出可能である。バス１００が発車している場合には（Ｓ５１７；Ｙｅｓ）、一連の本優先案内処理を終了して、再度、ステップＳ５０１から処理を開始する。
【００７７】
以上説明したように、本実施形態に係る乗車支援システム１０を構成する乗車支援装置２０によると、バス１００の乗車待ちをする利用者が停留所装置５０により降車を予約した降車バス停の情報を取得し（Ｓ５０１，Ｓ５０３；Ｙｅｓ）、バス１００が降車バス停に停車する旨を視覚を介して告知可能な優先案内情報を降車バス停の情報に基づいて生成し（Ｓ５０５）、利用者が待つバス停２００にバス１００が接近した場合（Ｓ５１３；Ｙｅｓ）、優先案内情報に基づいてバス１００が降車バス停に停車する旨、例えば、降車バス停の名称を行先表示装置３２，３３に表示する。これにより、利用者は、接近するバス１００の行先表示装置３２，３３に表示される降車バス停の名称等の表示を見ることにより、当該バス１００が降車を予約したバス１００であるか否かを判断することが可能になる。したがって、予約したバス１００を容易に見分けることができる。
【００７８】
また、乗車支援装置２０によると、バス１００の乗車待ちをする利用者が停留所装置５０により降車を予約した降車バス停の情報を取得し（Ｓ５０１，Ｓ５０３；Ｙｅｓ）、バス１００が降車バス停に停車する旨を聴覚を介して告知可能な優先案内情報を降車バス停の情報に基づいて生成し（Ｓ５０５）、利用者が待つバス停２００にバス１００が接近した場合（Ｓ５１３；Ｙｅｓ）、優先案内情報に基づいてバス１００が降車バス停に停車する旨、例えば、降車バス停の名称のアナウンスを放送装置３５により出力して車外スピーカ３６から音響出力する。これにより、利用者は、接近するバス１００の車外スピーカ３６から出力されるアナウンスを聴くことにより、当該バス１００が降車を予約したバス１００であるか否かを判断することが可能になる。したがって、予約したバス１００を容易に見分けることができる。
【００７９】
なお、本実施形態では、図８(B)に示すように、バス１００が降車バス停に停車する旨を「降車バス停の名称」とそれに付した上線（オーバーライン）との組み合わせによって表現したが、例えば、他のバス停の名称よりも「降車バス停の名称」の表示サイズ（文字サイズ）を大きく設定したり、その文字の表示色を他の文字よりも目立つ赤や橙等の暖色系に設定したり、その文字の線幅を他の文字よりも太く設定したり、してもよい。また、「降車バス停の名称」を表示する文字を線枠や記号で囲んだり、ブリンク表示させたり、表示の輝度を他の文字表示よりも高くしたり、してもよい。さらに「降車バス停の名称」を図形や記号で表現できる場合には、他のバス停の名称を文字で表示し、「降車バス停の名称」を図形や記号で表示してもよい。これらによると、「降車バス停の名称」をより目立つように表示することが可能になる。
【００８０】
また、図８(B)に示す例では、バス１００のバス停側の車外側方に設けられる行先表示装置３３のうち、バス１００の進行方向に前後両側に細長い上段部分の表示枠内に表示する表示態様を例示したが、その下段部分の表示枠内（通常時には経由する主要なバス停が表示される）に表示してもよい。この行先表示装置３３の下段部分の表示枠内に表示する場合には、行先表示装置３３の上段部分に比べて上下方向に幅広で表示面積も大きいため、「降車バス停の名称」をさらに目立つように表示することが可能になる。
【００８１】
さらに、本実施形態では、バス停２００に設けられる停留所装置５０から降車バス停を予約する構成について説明したが、例えば、スマートフォンやタブレット端末等の携帯型情報処理端末装置から降車バス停を予約し得るように、携帯型情報処理端末装置において図４に示す予約受付処理を実現可能なアプリケーションソフトを構成してもよい。この場合、携帯型情報処理端末装置は、携帯電話回線や無線ＬＡＮ回線により管理センタ３００等を介してバス１００の乗車支援装置２０と無線データ通信を行う機能が必要である。また、携帯型情報処理端末装置は、その現在位置から最寄りのバス停２００を正確に把握し得るため、ＧＰＳユニットにより現在位置情報を取得可能であることが望ましい。なお、停留所装置５０にBluetooth（登録商標）のプロトコルに準拠する近距離無線通信機能を追加することにより、Bluetooth（登録商標）の機能を備える携帯型情報処理端末装置により実行する予約受付処理（図４）において、バス停情報送信処理（Ｓ１３５）を停留所装置５０を介して行うことが可能になる。この場合、携帯型情報処理端末装置は、携帯電話回線や無線ＬＡＮ回線により管理センタ３００等を無線データ通信を行う機能は備えてなくてもよい。
【００８２】
さらにまた、本実施形態では、バス停２００において、バス１００を待つ１人の利用者が停留所装置５０から降車バス停を予約する場合を例示して説明したが、バス停２００で待つ複数の利用者がそれぞれ異なったバス停を予約する場合にも、本発明の乗車支援装置を適用することが可能である。この場合、バス１００に搭載される乗車支援装置２０では、複数の降車バス停を行先表示装置３２，３３において表示したり、複数の降車バス停を放送装置３５から出力する合成音声によりアナウンスを行う。行先表示装置３２，３３による複数の降車バス停の表示において、表示範囲が不足する場合には、降車バス停の名称等をロールテロップのように進行方向前側や進行方向後側に流して表示する。
【符号の説明】
【００８３】
１０…乗車支援システム
２０…乗車支援装置
２１…ＭＰＵ（降車情報取得部、視覚情報生成部、聴覚情報生成部）
２２…メモリ（降車情報取得部、視覚情報生成部、聴覚情報生成部）
２７…ディスプレィ
２８…ＧＰＳユニット
３１…無線通信装置（降車情報取得部）
３２，３３…行先表示装置（停留所情報表示部）
３５…放送装置（停留所情報音響出力部）
３６…スピーカ（停留所情報音響出力部）
５０…停留所装置（降車予約装置）
５１…ＭＰＵ
５２…メモリ
５５…入出力装置
５５ａ…タッチパネル
５５ｂ…液晶ディスプレィ
５７…案内表示パネル
５９…無線通信ユニット
１００…バス（路線バス）
１２０…運賃表示装置（乗車支援装置）
２００…バス停（利用者が路線バスを待つ停留所）
３００…管理センタ
【図１】
2015056081.tif 000003
【図２】
2015056081.tif 000004
【図３】
2015056081.tif 000005
【図４】
2015056081.tif 000006
【図７】
2015056081.tif 000007
【図５】
2015056081.tif 000008
【図６】
2015056081.tif 000009
【図８】
2015056081.tif 000010